(57)【要約】【課題】  掃除機本体から着脱自在の２重フィルタ構造の集塵器において、簡単な機構でフィルタに付着した塵埃を除去できる集塵器付き電気掃除機を提供する。【解決手段】  吸込口から空気と共に吸い込んだ塵埃を集塵容器内に設けられた二重のフィルタ３４ａ，３４ｂで濾過し、空気と塵埃とを分離し、排気口１４から空気を排出し、集塵容器内に塵埃を回収する集塵器３０ａであって、内層フィルタ３４ｂのクリーニング手段として、内層フィルタ３４ｂに接触するクリーニング部材７１により内層フィルタ３４ｂに衝撃を与えて振動させる。クリーニング部材７１の一端は、手動で操作できるように集塵容器の外側に位置させた操作部７３を設け、この操作部７３を操作することによってクリーニング部材７１を回動させる。これにより、内層フィルタ３４ｂに衝撃を与え、付着した塵埃を振るい落とす。【選択図】図５
2007125294.tif 000002
【特許請求の範囲】
【請求項１】
吸込口から空気と共に吸い込んだ塵埃を集塵容器内に設けられた筒状のフィルタで濾過して、排気口から空気を排出し、集塵容器内に塵埃を回収する集塵器であって、
前記フィルタの内側で軸周りに回転することによってフィルタに付着した塵埃を振るい落とすクリーニング部材が設けられたことを特徴する集塵器。
【請求項２】
前記クリーニング部材を集塵容器の外側から手動で回転操作するための操作手段が設けられたことを特徴とする請求項１に記載の集塵器。
【請求項３】
前記フィルタは集塵容器内に設けられた排気筒に取り付けられ、
前記クリーニング部材は、軸方向中央部がクランク状に突出する軸部材から構成され、
その両端軸部が前記排気筒の内側の筒中心に回転自在に支承されたことを特徴とする請求項１または２に記載の集塵器。
【請求項４】
前記集塵容器は、内部に集塵室を形成するケースと、内部に排気筒を有する蓋とが開閉自在に設けられてなり、
前記操作手段は、外部から操作可能にケースの底部を貫通しかつケースの底部に回転自在に支承された手動操作部と、該手動操作部からの回転操作力を前記クリーニング部材の軸部に伝達するよう前記排気筒の端部に設けられた連結部とを備えたことを特徴とする請求項３に記載の集塵器。
【請求項５】
前記連結部は、蓋の開姿勢で排気筒の端部から操作可能とされたことを特徴とする請求項４に記載の集塵器。
【請求項６】
前記フィルタがプリーツフィルタとされ、
前記クリーニング部材の回転軌跡がプリーツフィルタの内径よりも大きく設定され、
クリーニング部材がその軸周りの回転によりプリーツフィルタと接触してフィルタに付着した塵埃を叩き落とすことを特徴とする請求項１〜５のいずれかに記載の集塵器。
【請求項７】
前記フィルタが内層フィルタとされ、
その外側にメッシュ状の外層フィルタが設けられたことを特徴とする請求項１〜６のいずれかに記載の集塵器。
【請求項８】
前記外層フィルタの外側表面を清掃するブラシが設けられたことを特徴とする請求項７に記載の集塵器。
【請求項９】
請求項１〜８のいずれかに記載の集塵器が掃除機本体に着脱可能に備えられたことを特徴とする電気掃除機。
【発明の詳細な説明】
【技術分野】
【０００１】
本発明は、集塵器およびそれを備えた電気掃除機に関するものである。
【背景技術】
【０００２】
従来の電気掃除機は、吸込口と電動送風機とを連通する吸込経路に集塵器が配置され、この集塵器のフィルタによってゴミや埃等と空気を分離し、空気のみを掃除機本体外に排出する。フィルタにゴミや埃等が詰まると、吸込効率が悪化するため、フィルタを定期的にクリーニングする必要がある。
【０００３】
特許文献１には、フィルタ組立体に回転フィルタが設けられ、該回転フィルタが空気によって自動的に回転しつつ埃叩き部材によって自動的に叩かれる真空掃除機のサイクロン集塵器が開示されている。
【特許文献１】特開２００４−２４９０６８
【発明の開示】
【発明が解決しようとする課題】
【０００４】
ところで、特許文献１の回転フィルタは、空気の流れによって回転するが、埃叩き部材が回転フィルタに接触しているため、相当大きな回転力が必要となる。しかしながら、回転フィルタは空気の流れによって回転させるものであるため、十分な回転力が得られず、回転フィルタに付着した塵埃を十分叩き落とすことができない。また、埃叩き部材は外側からフィルタに付着した塵埃を叩き落とす方式であるため、内層フィルタと外層フィルタとを備えた二重フィルタにおいて、内層フィルタのクリーニングには不向きである。
【０００５】
本発明は、簡単な機構で二重フィルタ構造のフィルタにおいても内層側に付着した塵埃を確実に除去できる集塵器およびそれを備えた電気掃除機の提供を目的とする。
【課題を解決するための手段】
【０００６】
上記目的を達成するために、本発明は、吸込口から空気と共に吸い込んだ塵埃を集塵容器内に設けられた筒状のフィルタで濾過して、排気口から空気を排出し、集塵容器内に塵埃を回収する集塵器であって、フィルタの内側で軸周りに回転することによってフィルタに付着した塵埃を振るい落とすクリーニング部材が設けられたことを特徴としている。
【０００７】
上記構成によると、フィルタの内側からクリーニング部材の回転によりフィルタに付着した塵埃を叩き落とすので、内層フィルタと外層フィルタとを備えた二重フィルタのうち、内層フィルタのクリーニングも可能となる。
【０００８】
このクリーニング部材は、電動モータ等の駆動源からの動力を利用して回転させてもよいが、クリーニング部材を集塵容器の外側から手動で回転操作するための操作手段を設け、手動で回転操作することもできる。
【０００９】
上記構成によると、使用者は、集塵容器の外側から手動操作によってクリーニング部材を回転させることができるので、モータなどの駆動源を省略することができ、軽量かつ簡単な機構の集塵器を提供することができる。
【００１０】
また、本発明では、フィルタは集塵容器内に設けられた排気筒に取り付けられ、クリーニング部材は、軸方向中央部がクランク状に突出する軸部材から構成され、その両端軸部が排気筒の内側の筒中心に回転自在に支承されたことを特徴とする。
【００１１】
上記構成によると、排気筒の内側にクリーニング部材が配置するため、クリーニング部材が排気筒の外側に露出することなく、クリーニング部材が集塵容器内での塵埃の回収に支障をきたすことはない。
【００１２】
また、本発明においては、集塵容器は、内部に集塵室を形成するケースと、内部に排気筒を有する蓋とが開閉自在に設けられてなり、前記操作手段は、外部から操作可能にケースの底部を貫通しかつケースの底部に回転自在に支承された手動操作部と、該手動操作部からの回転操作力を前記クリーニング部材の軸部に伝達するよう前記排気筒の端部に設けられた連結部とを備えたことを特徴とする。
【００１３】
上記構成によると、蓋の内側に取り付けられた排気筒にクリーニング部材が回転自在に支承され、蓋と分離可能なケース側からクリーニング部材を操作するとき、ケース側の手動操作部から連結部を介してクリーニング部材の軸部に回転力が伝達されるので、集塵容器の外側からでもクリーニング部材を回転操作することができる。
【００１４】
この場合の連結部は、蓋の開姿勢で排気筒の端部から操作可能とすることもできる。この構成によると、連結部は、手動操作部の回転操作力を伝達する連結機能のみならず、自らも操作する操作機能をも付与されているので、集塵容器の蓋を分離した状態でもフィルタをクリーニングすることができる。
【００１５】
また、フィルタは、種々のフィルタを採用することができるが、プリーツフィルタを使用する場合、クリーニング部材の回転軌跡をプリーツフィルタの内径よりも大きく設定し、クリーニング部材がその軸周りの回転によりプリーツフィルタと接触してプリーツフィルタに付着した塵埃を叩き落とすことができる。
【００１６】
上記構成によると、クリーニング部材を回転させたとき、その一部がプリーツフィルタの凹凸と接触してフィルタに付着した塵埃を効果的に叩き落とすことができる。
【００１７】
このフィルタを内層フィルタとし、その外側にメッシュ状の外層フィルタを設けた二重フィルタ構造を採用することができる。
【００１８】
上記構成によると、細かな塵埃をも除去できる二重構造のフィルタであっても、内層フィルタをクリーニング部材の回転力により、フィルタに付着した塵埃を叩き落とすことができる。
【００１９】
この場合、外層フィルタの外側表面を清掃するブラシを設け、外層フィルタもクリーニングすることができる。
【発明の効果】
【００２０】
以上のとおり、本発明によれば、フィルタの内側からクリーニング部材の回転によりフィルタに付着した塵埃を叩き落とすので、内層フィルタおよび外層フィルタを備えた二重フィルタであっても、内層フィルタのクリーニングが可能となる。
【発明を実施するための最良の形態】
【００２１】
〔第１実施形態〕
本発明に係る電気掃除機の実施形態として、部屋の壁、家具、ベッド等の障害物がある、周囲を囲まれた空間内を自立して移動する自走式掃除機を例に説明する。
【００２２】
自走式掃除機は、図１〜図３に示すように、電動送風機１３を内装した掃除機本体１０と、床面のゴミや埃等を吸引する吸込口体２０と、掃除機本体１０に着脱自在に装着された集塵器３０ａとから構成される。
【００２３】
吸込口体２０は、掃除機本体１０の前部側底面に配され、掃除機本体１０に軸方向を垂直方向とする連結軸１０ａによって接続されると共に、連結軸１０ａ周りに約３０度の範囲で回転可能とされる。また、吸込口体２０には、掃除機本体１０側の屈曲自在な吸込ホース（図示せず）と連結され、電動送風機１３の駆動により発生する吸引力で吸込口体２０からゴミや埃等を掃除機本体側の集塵器３０ａに吸引できるようになっている。
【００２４】
掃除機本体１０は、図３に示すように、小判型のケーシングの上面にカプセル状の集塵器３０ａを収容するための収容凹部１５が形成され、該収容凹部１５に集塵器３０ａが着脱自在に装着される。ケーシングの前部側には、障害物や壁面等に衝突した際の衝撃を緩和するバンパー１２が取り付けられる。
【００２５】
掃除機本体１０の後部側には、電動送風機１３が内装される。また、掃除機本体１０の側部には掃除空間を移動するための移動装置としての駆動輪４１が設けられる。駆動輪４１や電動送風機１３の駆動を制御する制御基板等を備えた制御部６０は、収容凹部１５の下側空間部に配設される。さらに、バンパー１２の窓に面して周囲の障害物を検出する検出センサ５０が設けられている。バンパー１２は、衝撃を緩和するためにバネ（図示せず）によって掃除機本体１０の前側に突出するように保持される。
【００２６】
駆動輪４１は、左右が夫々独立して回転し、各駆動輪を制御することで直線走行および旋回ができるようになっている。また、吸込口体２０には補助輪４２が設けられる。補助輪４２は、駆動輪４１の動きに合わせて掃除機本体１０がスムーズに走行できるように垂直軸周りに回転自在に支持されている。
【００２７】
吸込口体２０には、図４（ａ）、（ｂ）に示すように、ゴミや埃等を吸引するメイン吸込口２１ａ、前方吸込口２１ｂおよび側方吸込口２１ｃが形成される。メイン吸込口２１ａと前方吸込口２１ｂとは、吸込口体２０内部に形成された吸込経路２５と連通する開口とされ、側方吸込口２１ｃは、ゴム等から構成されるＬ字形状のノズルとされる。
【００２８】
メイン吸込口２１ａは、吸込口体２０の底面中央に設けられた凹部２４の壁面に貫通形成される。この凹部２４には、ゴミや埃等を床面から掻き取る回転ブラシ２３が回転自在に設けられ、回転ブラシ２３の回転により、掻き上げられたゴミや埃等をメイン吸込口２１ａから吸引できるようになっている。
【００２９】
側方吸込口２１ｃは、吸込口体２０の左右に設けられ、前記凹部２４に連通しており、側方吸込口２１ｃから吸い込んだゴミや埃等をメイン吸込口２１ａから吸込経路２５に流入させるようにしている。
【００３０】
また、前方吸込口２１ｂは、吸込口体２０の前部側の底面に形成される。この前部側には、吸込口体２０の軸２２ａ周りに回転自在に支持された開閉部２２が設けられ、該開閉部２２の前面にはバンパー１２が障害物等に当たって後方に押し込まれたときにバンパーと当接する当接部２２ｂが突出形成されている。バンパー１２が当接部２２ｂに当たったとき、開閉部２２が開回動し、バンパー１２が当接部２２ｂから離れたとき、自重により開閉部２２が閉回動するように設定され、これにより、前方吸込口２１ｂが開閉される。
【００３１】
集塵器３０ａは、掃除機本体１０の上面に形成された収容凹部１５に着脱自在に収納されるものであって、図５および図６に示すように、吸込口体２０から集塵室３２内に吸引されたゴミや埃等を含む吸気を集塵室３２内で旋回させ、排気筒３４のフィルタ３４ａ，３４ｂにより空気と塵埃とを分離させると共に、吸い込んだ空気を集塵室３２外へ排出するサイクロン式の集塵器である。
【００３２】
集塵室３２を形成する集塵容器は、半カップ状の蓋３３ｃとケース３３ｄとが互いの開口縁部同士をネジ嵌合してカプセル状に形成される。また、集塵容器内には、集塵室３２に吸い込んだ空気からゴミや埃等を濾過する２枚のフィルタ３４ａ，３４ｂを備えた排気筒３４が備えられる。
【００３３】
排気筒３４は、円筒状に形成され、集塵室３２の中央に配設される。排気筒３４の一端は、半カップ状の蓋３３ｃの内側にネジ止め固定される。また、排気筒３４の他端部は、蓋３３ｃの開口縁からケース３３ｄ側に突出し、集塵容器の閉姿勢でケース３３ｄの底面のリング状弾性部材５０と弾性的に接触する。
【００３４】
排気筒３４の他端周壁には集塵室３２から空気を排出するための開口が形成され、この開口の外側面側に円筒状の外層フィルタ３４ａが被嵌され、開口の内側に円筒状の内層フィルタ３４ｂが配置され、二重フィルタ構造となっている。
【００３５】
外層フィルタ３４ａは、円筒状でかつメッシュ状に形成され、大きなゴミや埃等を捕集するものであって、排気筒３４の外側面に着脱自在に止着される。
【００３６】
内層フィルタ３４ｂは、細かなゴミや埃等を捕集するためのもので、円筒状のプリーツフィルタから構成される。そして、内層フィルタ３４ｂは、排気筒３４の他端部側で内側に形成された断面コ字形でかつリング状に形成された受け部３４ｄに着脱自在に装着されている。
【００３７】
排気筒３４の蓋３３ｃの内側部分には、二重のフィルタ３４ａ、３４ｂを通って分離された空気を集塵容器排気口３３ｂに導く連通口が開口され、排気筒３４から排出される空気を集塵容器排気口３３ｂから収容凹部１５側の排気口１４に導くようになっている。
【００３８】
また、外層フィルタ３４ａおよび内層フィルタ３４ｂは、空気と共に吸い込んだ塵埃を濾過して塵埃と空気を分離するものであるので、フィルタに付着した塵埃を清掃する必要がある。本実施形態では、二重のフィルタ３４ａ、３４ｂに付着した塵埃を清掃するために、外層フィルタのクリーニング手段６９と、内層フィルタ３４ｂのクリーニング部材７１とが設けられている。
【００３９】
外層フィルタ３４ａのクリーニング手段６９は、図５および図６に示すように、ケース３３ｄの開口縁部側の内周面に配置されたリング状の取付部６９ａと、該取付部６９ａの内周面に設けられたブラシ６９ｂとから構成される。ブラシ６９ｂは、その先端が外層フィルタ３４ａの外周面と僅かに接触する長さとされる。そして、蓋３３ｃを開放するとき、排気筒３４をリング状の取付部６９ａを通して分離することができ、この際、外側面の外層フィルタ３４ａがブラシ６９ｂと接触してクリーニングされるようになっている。
【００４０】
クリーニング部材７１は、軸方向中央部がクランク状に突出する軸部材から構成され、その両端軸部が排気筒３４の内側の筒中心に回転自在に支承されている。つまり、クリーニング部材７１は、その軸部材の一端が、排気筒３４の蓋側の軸受け部に回転自在に支承され、また、後述するように、他端が連結部７４の軸孔に嵌着され、連結部７４が排気筒３４に回転自在に支持されることにより、他端が間接的に排気筒３４に回転自在に支承された態様となっている。
【００４１】
また、クリーニング部材７１は、集塵容器の外側から手動で回転操作するための操作手段５２が設けられている。この操作手段５２は、外部から操作可能にケース３３ｄの底部を貫通しかつケース３３ｄの底部に回転自在に支承された手動操作部７３と、該手動操作部７３からの回転操作力をクリーニング部材７１の軸部に伝達するよう排気筒３４の端部に設けられた連結部７４とを備えている。
【００４２】
手動操作部７３は、集塵器３０ａの掃除機本体１０への収納姿勢で邪魔にならないように、ケース３３ｄの底面に形成した凹部に配置される。この手動操作部７３は、ケース３３ｄの底面裏側に露出した円筒形状のつまみ７３ａと、該つまみ７３ａの裏面側、つまりケース３３ｄの底面を貫通してケース３３ｄに回転自在に支承され蓋３３ｃ方向に突出する傘歯車状の噛合い部７３ｂとを備えている。
【００４３】
連結部７４は、排気筒３４の他端受け部３４ｄの内側開口に回転自在に支持される円筒状のカップリング部材であって、その蓋側中心部に形成された軸孔にクリーニング部材７１の他端軸部が嵌着される。連結部７４の他面側には手動操作部７３の噛合い部７３ａと噛合う凹状の受歯部７４ａが形成され、両者の噛合いにより、手動操作部７３の回転力が連結部７４を介してクリーニング部材７１に伝達される。また、凹状の受歯部７４ａは、手動で回転操作も可能となっており、蓋３３ｃの取り外し後に単独で連結部７４を回転操作できるようになっている。
【００４４】
なお、蓋３３ｃの上面側には、前後方向（掃除機本体１０の前後方向）にクランプ収容部３９が形成され、このクランプ収容部３９に掃除機本体１０の収容凹部１５に係脱自在に係合するクランプ３６が蓋３３ｃの後面より出退自在に収納される。このクランプ３６には蓋３３ｃの上面から操作可能な操作レバー３７が一体的に形成され、操作レバー３７とクランプ収容部３９の前部との間には、バネ３８が介装され、操作レバー３７およびクランプ３６を後方、つまり掃除機本体１０への係合方向へ付勢するようになっている。
【００４５】
上記構成において、集塵器３０ａの操作レバー３７を操作してクランプ３６を掃除機本体１０の係合孔１６から後退させれば、集塵器３０ａ自体を掃除機本体１０から取り外すことができる。
【００４６】
集塵器３０ａを掃除機本体１０から取り外した後、操作部７３のつまみ７３ａをつまんで回転させれば、その回転が連結部７４を介してクリーニング部材７１に伝達され、クリーニング部材７１が集塵容器の軸周りに回転し、クリーニング部材７１の中間突出部が内層フィルタ３４ｂに接触することで内層フィルタ３４ｂを叩き内層フィルタを振動させることになる。
【００４７】
すなわち、クリーニング部材７１は、つまみ７３ｂを回転させたときに内層フィルタ３４ｂの凹凸に殴打する。内層フィルタ３４ｂは、クリーニング部材７１が接触したとき、その衝撃によって振動し、フィルタ３４ａに付着したゴミや埃等を振るい落とすことができる。振るい落されたゴミや埃等は、排気筒３４の他端開口からケース３３ｄの底面側に落ちて集積される。クリーニング部材７１の回転操作を繰り返すことで、内層フィルタ３４ｂに付着した塵埃を完全に除去することができ、内層フィルタ３４ｂの除塵能力を高めることができる。
【００４８】
また、蓋３３ｃを開けてケース３３ｄを開放すると、蓋３３ｃと共に排気筒３４もケースから取り外すことになる。このとき、排気筒３４の他端部には連結部７４が露出しているので、この連結部７４を回転させると、クリーニング部材７１が回転し、内層フィルタ３４ｂを叩いてゴミや埃等を振るい落とすことができる。
【００４９】
また、クリーニング部材７１は、内層フィルタ３４ａの内側に位置するので、クリーニング部材７１に塵埃が付着することはなく、また、使用者が誤って触れるおそれもない。
【００５０】
また、蓋３３ｃの開閉に伴って外層フィルタ３４ａをクリーニングずることができる。つまり、ケース３３ｄに溜まったゴミや埃等を捨てる際、すなわち、排気筒３４をケース３３ｄから抜き出す際に、ケース側のブラシ６９ｂの先端が外層フィルタ３４ａの外周面と接触し、排気筒３４の抜き出す動作によって、外層フィルタの外周面がクリーニングされる。さらに、蓋３３ｃを閉める際、すなわち、排気筒３４をケース３３ｄに差し込む際も、同様にブラシ６９ｂの先端が外層フィルタ３４ａの外周面と接触し、その外周面がクリーニングされる。
【００５１】
なお、ブラシ６９ｂによって払い落とされたゴミや埃等は、内層フィルタ３４ｂの場合と同じように、ケース３３ｄの底部に受け止められて集積される。さらに、排気筒３４を軸方向に繰り返し往復移動することで、外層フィルタ３４ａに付着した塵埃を完全に除去することができ、フィルタの除塵能力を高めることができる。
〔第２実施形態〕
【００５２】
図８および図９に本発明の第２実施形態に係る集塵器３０ｂを示す。この集塵器３０ｂが第１実施形態の集塵器３０ａと相違する点は、クリーニング部材の他端に備えられていた操作手段５２がクリーニング部材の一端、すなわち、蓋３３ｃ側に配置されていることである。
【００５３】
つまり、本実施形態では、クリーニング部材８１の操作部８３が、集塵器３０ｂの掃除機本体１０への収納姿勢で邪魔にならないように、蓋３３ｃの上面に形成した凹部に配置され、この凹部内につまみ８３ａが露出し、集塵容器外部から操作できるようにされている。また、操作部８３の噛合い部８３ｂは、蓋３３ｃの開口縁まで突出した円柱状に形成され、その端部に傘歯車状の噛合い部８３ｂが形成される。
【００５４】
操作手段５２の連結部８４は、排気筒３４の軸方向中間位置にある軸受け部に回転自在に挿嵌され、その一端側にクリーニング部材８１が嵌合され、他端側に噛合い部８３ａと噛合う受歯部８４ａが形成される。なお、クリーニング部材８１の他端は、受け部３４ｄに回転自在に支持される。その他の構成は第１実施形態と同様であるので、その説明を省略する。
【００５５】
上記構成においては、集塵器３０ｂを掃除機本体１０から取り外した後、操作部８３のつまみ８３ａをつまんで回転させれば、その回転が連結部８４を介してクリーニング部材８１に伝達され、クリーニング部材８１が集塵容器の軸中心に回転し、クリーニング部材８１が内層フィルタ３４ｂに接触し、内層フィルタ３４ｂを叩いて塵埃を振るい落とすことができる。
【００５６】
なお、本発明は、上記実施形態に限定されるものではなく、本発明の範囲内で修正・変更を加えることができるのは勿論である。例えば、上記実施形態では自走式掃除機に備えられた集塵器について説明したが、吸引ホースを備えた一般的な電気掃除機に取り付けられた集塵器であってもよい。
【００５７】
また、その際の集塵方式も、上記実施形態に示すサイクロン方式に限らず、フィルタを介して塵埃と空気とを分離する各種方式のものであっても本発明を適用することができる。また、クリーニング部材は、フィルタの内側に配されているが、特にこれに限られることはない。例えば、排気筒周りをまわるようにクリーニング部材を備え、排気筒の外側からフィルタに衝撃を与えてフィルタを振動させても良い。
【００５８】
さらに、本実施形態は手動操作によってクリーニング部材を回動させているが、特にこれに限ることはなく、例えば、電動モータ等の動力を使用して回動させても良い。
【図面の簡単な説明】
【００５９】
【図１】本発明の実施形態である自走式掃除機の斜視図
【図２】図１の自走式掃除機の平面図
【図３】図１の自走式掃除機の側断面図
【図４】図１の自走式掃除機の吸込口体を示し、（ａ）は開閉部の開姿勢を示す側面断面図、同図（ｂ）は開閉部の閉姿勢を示す側面断面図
【図５】図１の集塵器の断面図
【図６】図５に示す集塵器を蓋とケースとに分離した状態を示す断面図
【図７】図６のＡ−Ａ断面図
【図８】本発明の第２実施形態である集塵器の断面図
【図９】図８に示す集塵器を蓋とケースとに分離した状態を示す断面図
【符号の説明】
【００６０】
１０    掃除機本体
１０ａ  連結軸
１２    バンパー
１３    電動送風機
１４    排気口
１５    収容凹部
１５ａ  傾斜面
１６    係合孔
２０    吸込口体
２１ａ  メイン吸込口
２１ｂ  前方吸込口
２１ｃ  側方吸込口
２２    開閉部
２２ａ  軸
２２ｂ  当接部
２３    回転ブラシ
２４    凹部
２５    吸込経路
３０ａ  第１実施形態の集塵器
３０ｂ  第２実施形態の集塵器
３２    集塵室
３３ａ  集塵容器吸込口
３３ｂ  集塵容器排気口
３３ｃ  蓋
３３ｄ  ケース
３４    排気筒
３４ａ  外層フィルタ
３４ｂ  内層フィルタ
３４ｄ  受け部
３６    クランプ
３７    操作レバー
３８    バネ
３９    クランプ収容部
４１    駆動輪
４２    補助輪
５０    弾性部材
５２    操作手段
６０    制御部
６９    クリーニング手段
６９ａ  取付部
６９ｂ  ブラシ
７１    クリーニング部材
７３    操作部
７３ａ  つまみ
７３ｂ  噛合い部
７４    連結部
７４ａ  受歯部
８１    クリーニング部材
８３    操作部
８３ａ  つまみ
８３ｂ  噛合い部
８４    連結部
８４ａ  受歯部
【図１】
2007125294.tif 000003
【図２】
2007125294.tif 000004
【図３】
2007125294.tif 000005
【図４】
2007125294.tif 000006
【図５】
2007125294.tif 000007
【図６】
2007125294.tif 000008
【図７】
2007125294.tif 000009
【図８】
2007125294.tif 000010
【図９】
2007125294.tif 000011